(57)【要約】【課題】偏心荷重が掛かったり、スカート部の開口部を拡げるような縦方向に曲げる力が加わっても変形しにくい合成樹脂製のスカート部を装着し、かつ、外観性に優れた便器装置を提供する。【解決手段】リム部５とボウル部６とスカート部１とからなる便器装置であって、合成樹脂から形成されたスカート部１の内壁面１１に中空リブ２が縦方向に一体的に設けられたことを特徴とする便器装置。上記複数個の中空リブ２を縦方向に並設するとともに、該複数個の中空リブ２の頂部が連結片３１で連結一体化されてもよい。さらに、上記複数個の中空リブ２と中空リブ２との間で、スカート部１の内壁面１１と連結片３１とによって構成される複数の空間に合成樹脂発泡体４が充填されてもよい。【選択図】図１
2010196246.tif 000002
【特許請求の範囲】
【請求項１】
リム部とボウル部とスカート部とからなる便器装置であって、合成樹脂から形成されたスカート部の内壁面に中空リブが縦方向に一体的に設けられたことを特徴とする便器装置。
【請求項２】
上記複数個の中空リブを縦方向に並設するとともに、該複数個の中空リブの頂部が連結片で連結一体化されてなる請求項１に記載の便器装置。
【請求項３】
上記複数個の中空リブの中空部或いは中空リブと中空リブとの間で、スカート部の内壁面と連結片とによって構成される複数の空間に合成樹脂発泡体が充填されてなる請求項２に記載の便器装置。
【発明の詳細な説明】
【技術分野】
【０００１】
本願発明は便器装置に関し、さらに詳しくは、スカート部を装着してなる便器装置に関するものである。
【背景技術】
【０００２】
洋式便器の便器装置は、主として鋳込み成形法により一体的に成形された陶器製のものが用いられ、例えば、泥漿を鋳込み型に流し込んで固化させた一体成形体品が一般的に流通している。しかしながら、上記の方法により製造される便器装置は、成形、焼成時等の製造工程において、変形や割れなどが発生することが避けられず、製造コストが高くなり、また、一定の品質の便器装置を製造することが困難であるという問題がある。
【０００３】
一方、近年、樹脂成形法の進歩は著しく大型の部材も成形可能となり、そこで、合成樹脂製の部材と陶磁器製の部材を主部材とし、これらを複合して接合し、洋式便器等の便器装置を製造することが行われている。
【０００４】
例えば、本願図５に示すように、スカート部材７とボウル部材８とリム部材９とを独立した部材として備え、ボウル部材８がスカート部材７内に収納配置され、ボウル部材８の上端縁部にリム部材９が装着されてなる便器装置が知られている。ここで、上記リム部材９の内部は中空であり、洗浄水が流れる洗浄水用チャンネルが内設されるとともに、リム部材９の上には図外便座が載置される。このとき、ボウル部材８として陶磁器製のものが用いられ、リム部材９及びスカート部材７としては合成樹脂成形品が用いられることが多い。
【０００５】
一方、近年、主部材をすべて合成樹脂製とした便器装置も開発されている。例えば、特開２００８−２５１７６号公報（特許文献１）には、合成樹脂製のスカート部と、このスカート部の内部に配置される合成樹脂製のボウル部との２部品で構成される便器が開示されている。そして、上記特許文献１の図２に示されているように、上記ボウル部の上端部はスカート部と共同して洗浄水が流れる中空部を形成するとともに、その上端面は、スカート部の上部に接合される便座載置面とされた便器が開示されている。ここで、上記特許文献１に記載の便器は、合成樹脂製のスカート部と、このスカート部の内部に配置される合成樹脂製のボウル部との２部品から構成されるため、部品成型金型の個数を減らし、コストを抑えて製造することが可能となると、その効果が述べられている。
【０００６】
また、上記スカート部の内面には、上記特許文献１の図１（ａ）に図示されるように、ボウル部の外周部を受け支えるくさび形のリブが一体的に形成して設けられ、便座載置面部の剛性が向上するとの効果も述べられている。
【先行技術文献】
【特許文献】
【０００７】
【特許文献１】特開２００８−２５１７６号公報
【発明の概要】
【発明が解決しようとする課題】
【０００８】
上記特許文献１に記載の技術によれば、スカート部の内面にボウル部の外周部を受け支えるくさび形のリブを一体形成することにより、上記便座載置面部の剛性は向上するという効果はある。しかし、便座を載置して使用者が座ったとき、便座方向からスカート部にかかる下向きの荷重に対して十分な補強効果を発揮できるものとはいえない。また、使用位置の変化により偏心荷重が掛かったとき、スカート部にねじれや曲がりが生じるという問題もある。
【０００９】
本願発明は上記背景技術に鑑みてなしたものであり、その目的は、使用者の使用位置の変化によってスカート部に偏心荷重が掛かったり、使用者の体重によってスカート部の開口部が拡がるような縦方向に曲げる力が加わっても、十分な強度を有し、変形することのないスカート部を装着し、かつ、外観性に優れた便器装置を提供することである。
【課題を解決するための手段】
【００１０】
上記課題を解決するために、本願請求項１に記載の発明に係る便器装置は、リム部とボウル部とスカート部とからなる便器装置であって、合成樹脂から形成されたスカート部の内壁面に中空リブが縦方向に一体的に設けられたことを特徴としている。
【００１１】
上記リム部とボウル部とスカート部とは、いずれも射出成形、圧縮成形、真空成形等で形成された樹脂成形品であり、成形部材としては主に熱可塑性樹脂が用いられる。ここで、スカート部は、リム部とボウル部とに装着されるが、便器装置を、予めリム部とボウル部とを溶着一体化してなる水洗ボウル部とスカート部の２部品から構成し、この水洗ボウル部にスカート部を装着してもよい。
【００１２】
本願請求項２に記載の発明は、上記請求項１に記載の便器装置において、複数個の中空リブを縦方向に並設するとともに、該複数個の中空リブの頂部が連結片で連結一体化されてなることを特徴としている。
【００１３】
本願請求項３に記載の発明は、上記請求項２に記載の便器装置において、上記複数個の中空リブの中空部、或いは中空リブと中空リブとの間でスカート部の内壁面と連結片とによって構成される複数の空間に合成樹脂発泡体が充填されてなることを特徴としている。
【発明の効果】
【００１４】
本願請求項１記載の発明に係る便器装置においては、ボウル部、あるいはリム部とボウル部とが溶着一体化された水洗ボウル部を保護するスカート部が装着されているため、外部からの衝撃によってボウル部や水洗ボウル部が傷ついたり、破損することを防ぎ、かつ、外観性に優れた便器装置を提供することができる。
【００１５】
また、合成樹脂から形成されたスカート部の内壁面に、中空部を有さないリブと略同等の剛性を有する中空リブが縦方向に一体的に設けられているため、便座に座った使用者の位置の変化によってスカート部に偏心荷重が掛かったり、体重によってスカート部の開口部が拡がるような縦方向に曲げる力が加わってもスカート部自体が変形することのない十分な強度を付与することができる。そして、スカート部によって補強された便器装置に座って使用者は快適に用を足すことができる。
【００１６】
また、リブに中空部を設けることによって、リブ自体を軽量化することができるとともに、使用原材料の節減を図ることができる。これにより、便器の重量も軽減され、搬送や施工などに有利となり、コスト的に安価に便器装置を提供することができる。
【００１７】
本願請求項２記載の発明に係る便器装置においては、複数個の中空リブを縦方向に並設するとともに、該複数個の中空リブの頂部が連結片で連結一体化されているため、さらにしっかりとスカート部を補強することができる。そして、偏心荷重が掛かっても、また、体重によってスカート部の開口部が拡がるような縦方向に曲げる力が加わっても変形することのない、十分な強度をスカート部に付与することができる。
【００１８】
本願請求項３記載の発明に係る便器装置においては、複数の中空リブ同士の間とスカート部の内壁面及び連結片によって構成される複数の空間、或いは中空リブの中空部に合成樹脂発泡体、例えば、低密度に発泡させた発泡ポリウレタン樹脂を充填することにより、補強の効果に加え、トイレ使用時の流水、洗浄音の遮音、合成樹脂発泡体の有する断熱効果によってスカート部の外表面での結露を防止する等の効果を奏することができる。
【図面の簡単な説明】
【００１９】
【図１】本願発明の第１実施形態に係る便器装置を製造する工程を模式的に示す分解斜視図。
【図２】図１におけるＸ−Ｘ線に沿う拡大横断面説明図。
【図３】本願第２実施形態に係る連結中空リブを示す拡大横断面説明図。
【図４】本願第２実施形態に係る連結中空リブの改善例を示す拡大横断面説明図。
【図５】公知の便器の構成を示す概念図。
【発明を実施するための形態】
【００２０】
以下、本願発明に係る便器装置の実施形態について図面を参照して詳細に説明する。まず、本願発明の便器装置を製造する方法について説明する。図１は本願発明の第１実施形態に係る便器装置を製造する工程を模式的に示す分解斜視図である。
【００２１】
図１において、リム部５とボウル部６とスカート部１とは、アクリロニトリル−ブチレン−スチレン共重合樹脂（ＡＢＳ樹脂）やポリメチルメタクリレート等のアクリル系樹脂、ポリエチレンやポリプロピレン等のポリオレフィン系樹脂、ポリエチレンテレフタレートやポリブチレンテレフタレート（ＰＢＴ）等のポリエステル系樹脂等の熱可塑性樹脂、または、それらのリサイクル樹脂からなり、射出成形、圧縮成形、真空成形等公知の方法で成形される。また、その肉厚は３〜１０ｍｍとされている。
【００２２】
上記リム部５とボウル部６とは残留応力を除くため、アニールされ、図外固定用治具で位置決めされた後、振動溶着して一体化される。すなわち、固定されたボウル部６の開口上縁６１に、この開口上縁６１の周上に対応するリム部５の下縁５１を当接させ、図外振動溶着装置からの振動をリム部５に与える。ここで、ストローク１〜２ｍｍ程度で激しく振動させることによって摩擦熱が発生し、上記リム部５の下縁５１とボウル部６の開口上縁６１とは溶着される。
【００２３】
ついで、上記のようにして一体化されたリム部５とボウル部６（以下水洗ボウル部という）に、スカート部１を上記と同様にして振動溶着させる。このとき、スカート部１の内壁面１１には中空部２１を有する中空リブ２が縦方向に一体的に形成されており、この中空リブ２によってスカート部１はしっかりと補強され、スカート部１自体の剛性が向上する。
【００２４】
そのため、振動溶着時に薄板部分の多いスカート部１が振動や加圧によってたわんだり、ねじれたりすることがなく、スカート部１の上縁部１２が水洗ボウル部にしっかりと当接して摩擦され、強固に溶着することができる。さらに、組み立て後に製品としたとき、使用者の使用位置の変化によってスカート部１に偏心荷重が掛かったときや、使用者の体重によって縦方向、外向きの曲げ力が加わっても、曲げ荷重に耐えてスカート部１の開口部が拡がることなく、しっかりと水洗ボウル部を支えることができるため、使用者は快適に用を足すことができる。
【００２５】
図２は、図１におけるＸ−Ｘ線に沿う拡大横断面説明図である。図２に示されるように、上記スカート部１の内壁面１１に一体的に形成された中空リブ部２は、中空三角柱の形状とされ、中空部２１を設けることによって軽量化することができるとともに、使用原材料の節減を図ることができる。また、該中空部を有さない三角柱に比べても強度的に問題はなく、スカート部１に偏心荷重が掛かっても、また、縦方向、外向きに大きく曲げる力が加わっても、しっかりと水洗ボウル部を支えることができる。
【００２６】
図３は、本願第２実施形態に係る連結中空リブ３を示す拡大横断面説明図である。図３に示すように、第２実施形態においては、複数の中空リブ２が連結片３１によって連結され、連結中空リブ３を形成すると共に連結中空部３２を形成している。このように、連結片３１で複数の中空リブ２の頂部を連結することにより、さらにしっかりとスカート部１を補強することができる。
【００２７】
図４は、上記第２実施形態に係る連結中空リブ３の改善例を示す拡大横断面説明図である。図４に示すように、上記改善例（イ）においては、中空リブ２と中空リブ２との間で、スカート部１の内壁面１１と連結片３１とによって構成される複数の連結中空部３２には合成樹脂発泡体４が充填されている。上記改善例（ロ）においては、スカート部１と連結片３１で形成される中空リブ２の連結中空部３２に合成樹脂発泡体４が充填されている。なお、図２に示すスカート部１の内壁面１１に一体的に形成された中空部リブ２の中空部２１に合成樹脂発泡体４が充填されていても良いことは当然である。
【００２８】
合成樹脂発泡体４としては、ポリウレタン樹脂の発泡体、ブチル系ゴム、ポリブタジエン系ゴム等の合成ゴムあるいは天然ゴムの発泡体、ポリプロピレンや低密度ポリエチレン等のポリオレフィン樹脂等の発泡体が用いられる。これらの樹脂は、低密度に発泡させて用いることが好ましい。
【００２９】
上記した構成の合成樹脂発泡体４を充填することによって、スカート部１はさらに補強されるとともに、トイレルーム使用時の流水音の遮音、あるいは、合成樹脂発泡体４の有する断熱効果によってスカート部１の外表面における結露の発生を防ぐことができる。
【００３０】
上記実施形態においては、中空三角柱の形状の中空リブ２について説明したが、中空四角柱としてもよい。あるいは、中空半円柱としてもよい。要するに、中空のリブをスカート部１の内壁面１１に一体的に設ければよい。さらに、中空リブ２同士の間で、スカート部１の内壁面１１と連結片３１によって構成される空間に加えて、中空リブ２自身の空間２１にも合成樹脂発泡体４を充填してもよい。また、合成樹脂製のボウル部６に替えて陶器製のボウルを用い、他の部材を合成樹脂製として、これらを複合させてもよい。
【００３１】
上記のようにして形成された便器装置のリム部５とボウル部６とは表面品質を向上させるため、公知のハードコート材によりコーティングして表面の硬度を向上させることが好ましい。とくに、ボウル部６は、汚物が容易に流れ去るように陶磁器と同等程度に表面硬度を向上させ、表面平滑性を付与することが好ましい。このように、本願発明の便器装置は設計変更自在であり、特許請求の範囲を逸脱しない限り、いずれの場合も本願発明の技術的範囲に属する。
【符号の説明】
【００３２】
１      スカート部
１１    内壁面
１２    上縁部
２      中空リブ
２１    中空部
３      連結中空リブ
３１    連結片
３２    連結中空部
４      合成樹脂発泡体
５      リム部
５１    下縁
６      ボウル部
６１    開口上縁
７      公知の便器装置を構成するスカート部材
８      公知の便器装置を構成する水洗ボウル部材
９      公知の便器装置を構成するリム部材
【図１】
2010196246.tif 000003
【図２】
2010196246.tif 000004
【図３】
2010196246.tif 000005
【図４】
2010196246.tif 000006
【図５】
2010196246.tif 000007